(57)【要約】【課題】トッププレートの上面に鍋等が置かれてトッププレートの接着乖離方向に荷重がかかって接着剤劣化によるトッププレート外れに対し、トッププレートとトップフレームの接着を、接着剤の他に機械的に保持する構成を追加することにより、トッププレートの剥がれのない安全な器具を提供することにある。【解決手段】トッププレート１３とトップフレーム１５の保持は、トッププレート１３の上壁面２３で接着剤１６で行う他に、機械的にトッププレート１３を支持する受け構成１７、１９、２２を追加することにより、トッププレート１３の剥がれのないものを提供するとともに、トッププレート１３の接着部が剥がれて調理時の水等が浸入してきた場合でも、トッププレート１３接着部内方の撥水材料２５と防水仕切り壁２６の構成を採用することで、本体中心の電気充電部まで水が浸入することのない安全な器具を提供することができる。【選択図】図１
2007003016.tif 000002
【特許請求の範囲】
【請求項１】
内部に発熱体や制御部品等の電気部品を有する箱型本体の上面を構成するトッププレートユニットは、上面全域を覆うガラス製のトッププートと、トッププレートの外縁部と接着して一体化され最外縁を下方へ垂下したフランジを有するトップフレームとで構成され、トッププレートとトップフレームの接着は、トッププレートの上壁面で接着剤を介在して行うとともに、箱型本体内部にはトッププレートの外縁部近傍に当接支持するトッププレート受けが設けられた加熱調理器。
【請求項２】
内部に発熱体等の電気部品を有する箱型本体の上面を構成するトッププレートユニットは、上面全域を覆うガラス製のトッププートと、トッププレートの外縁部と接着して一体化され最外縁を下方へ垂下したフランジを有するトップフレームとで構成され、トッププレートとトップフレームの接着は、トッププレートの上壁面で行うとともに、トップフレームの外縁端面は内側に折り曲げされ、トッププレートと折り曲げ内面との間にはトッププレートを押圧する弾性を有するトッププレート支え部材が配置された加熱調理器。
【請求項３】
トッププレートユニットは長方形形状であり、プレート支え部材の配置位置を角部に配置して、プレート支え部材の保持を２辺にまたがるようにした請求項２記載の加熱調理器。
【請求項４】
内部に発熱体等の電気部品を有する箱型本体の上面を構成するトッププレートユニットは、上面全域を覆うガラス製のトッププートと、トッププレートの外縁部と接着して一体化され最外縁を下方へ垂下したフランジを有するトップフレームとで構成され、トッププレートユニットと箱型本体の固定は、トップフレームの裏面に取り付けられ箱型本体側壁まで垂下するＬ字型フックの側壁で固定されるとともに、Ｌ字型フックの上面にはトッププレートに当接するトッププレート受けＢが設けられた加熱調理器。
【請求項５】
内部に発熱体等の電気部品を有する箱型本体の上面を構成するトッププレートユニットは、上面全域を覆うガラス製のトッププートと、トッププレートの外縁部と接着して一体化され最外縁を下方へ垂下したフランジを有するトップフレームとで構成され、トッププレートとトップフレームの接着材はトッププレートの上壁面からトッププレート外縁下壁面まで塗布した加熱調理器。
【請求項６】
トッププートの接着部には、シリコンやフッ素等の撥水性材料が付着していない請求項１から請求項５の加熱調理器。
【請求項７】
トッププート下面の外縁内側には撥水材料が全周にわたり塗布された請求項１から請求項６の加熱調理器。
【請求項８】
箱型本体内部の発熱体や制御部品等の電気部品が、トッププート下面の外縁内側に施された撥水材料処理の内側に位置するとともに、その相対位置の間には防水仕切り壁で隔てられている請求項７の加熱調理器。
【発明の詳細な説明】
【技術分野】
【０００１】
本発明は、本体内に加熱源を有し、天面をガラス製のトッププレートで覆った構成の加熱調理器に関するものである。
【背景技術】
【０００２】
従来、この種の加熱調理器は、箱型本体の内部に発熱体や制御部品等の電気部品を有し、上面全域をガラス製のトッププレートで覆う加熱調理器のトッププレート構成は、トッププートの外縁上壁面と、トッププレートの外縁上面から側方に延設し、外周を下方へ垂下したフランジを有するトップフレームの枠体の内面を接着剤で接着した構成であった（例えば、特許文献１参照）。
【０００３】
図７は、特許文献１に記載された従来の加熱調理器を示すものである。図７に示すように、トッププート５５の外縁上壁面と、トッププレート５５の外縁上面から側方に延設し、外周を下方へ垂下したフランジ４５を有するトップフレーム４１の枠体の内面を、接着剤６０で接着した構成が示されている。
【特許文献１】特開２００４−７９４４８号公報
【発明の開示】
【発明が解決しようとする課題】
【０００４】
しかしながら前記従来の構成では、トッププレートとトップフレームを接着剤のみで保持していたために、トッププレート上面に鍋等が置かれて接着乖離方向に荷重がかかる実使用の状態で、接着剤劣化によるトッププレート外れが発生していた。
【０００５】
本発明は、このような課題を解決するもので、トッププレートとトップフレームの固定を接着剤の他に機械的に保持する構成を追加することにより、トッププレートの剥がれのない安全な器具を提供することを目的とする。
【課題を解決するための手段】
【０００６】
前記従来の課題を解決するために、本発明の加熱調理器のトッププレートとトップフレームの保持は、トッププレートの上壁面で接着剤を介在して行うとともに、箱型本体内部にトッププレートの外縁部近傍に当接支持するトッププレート受けを設けるようにしたものである。
【０００７】
これによって、トッププレートの剥離荷重は、接着剤以外にトッププレート受けの支え力で行われ、トッププレートの剥がれのない器具を提供することができるものである。
【０００８】
また、本発明の加熱調理器のトッププレートとトップフレームの保持は、トッププレートの上壁面で接着剤を介在して行うとともに、トップフレームの外縁端面を内側に折り曲げし、トッププレートと折り曲げ内面との間に、トッププレートを押圧する弾性を有するトッププレート支え部材が配置するようにしたものである。
【０００９】
これによって、トッププレートの剥離荷重は、接着剤以外にトッププレート支え部材の支え力で行われ、トッププレートの剥がれのない器具を提供することができるものである。
【００１０】
また、本発明の加熱調理器のトッププレートとトップフレームの保持は、トッププレートの上壁面で接着剤を介在して行うとともに、トッププレートユニットと箱型本体の固定は、トップフレームの裏面に取り付けられ箱型本体側壁まで垂下するＬ字型フックの側壁で固定されるとともに、Ｌ字型フックの上面にはトッププレートに当接するトッププレート受けＢが設けられたものである。
【００１１】
これによって、トッププレートの剥離荷重は、接着剤以外にトッププレート受けＢの支え力で行われ、トッププレートの剥がれのない器具を提供することができるものである。
【００１２】
また、本発明の加熱調理器のトッププレートとトップフレームの保持は、トッププレートの上壁面で接着剤を介在して行うとともに、接着材の接着面積をトッププレートの上壁面からトッププレート外縁下壁面まで塗布するようにしたものである。
【００１３】
これによって、トッププレートの接着面積は大幅に広くなるとともに、複数の面で個々に接着する構成となり、容易に剥がれにくいトッププレートの接着構成を得られるものである。
【００１４】
また、本発明の加熱調理器のトッププレートとトップフレームの接着部には、シリコンやフッ素等の撥水性材料が付着していないようにしたものである。
【００１５】
これによって、接着部の接着強度は、強固なものが得られるものである。
【００１６】
また、本発明の加熱調理器のトッププレートとトップフレームの接着部内側には、撥水材料が全周にわたり塗布したものである。
【００１７】
これによって、接着剤部が剥離して、トッププレートとトップフレームの隙間から調理時の水等が浸入してきた場合でも、撥水材料部で水の侵入を切ることができ、本体中心部まで水が浸入することのない安全なものを提供できるようにしたものである。
【００１８】
また、本発明の加熱調理器のトッププレートとトップフレームの接着部内側には、撥水材料が全周にわたり塗布されたものであるとともに、本体内部の発熱体や制御部品等の電気部品との間には防水仕切り壁を設けたものである。
【００１９】
これによって、トッププレートとトップフレームの隙間から調理時の水等が浸入してきた場合でも、撥水材料部で水の侵入を切ることができ、更に水が乗り越えて本体中心部の電気部品まで浸入した場合でも防水仕切り壁で侵入水を確実に押さえ込み電気的に安全なものを提供できるようにしたものである。
【発明の効果】
【００２０】
本発明の加熱調理器は、トッププレートとトップフレームの固定を接着剤の他に機械的に保持する構成を追加することにより、トッププレートの剥がれのないものを提供するとともに、トッププレートの剥がれて調理時の水等が浸入してきた場合でも、撥水構成を採用することで本体中心部まで水が浸入することのない安全な器具を提供することができるものである。
【発明を実施するための最良の形態】
【００２１】
第１の発明は、トッププレートとトップフレームの保持は、トッププレートの上壁面で接着剤を介在して行うとともに、箱型本体内部にトッププレートの外縁部近傍に当接支持するトッププレート受けを設けるようにしたものであるので、トッププレートの剥離荷重は、接着剤以外にトッププレート受けの支え力で行われ、トッププレートの剥がれのない器具を提供することができるものである。
【００２２】
第２の発明は、トッププレートとトップフレームの保持は、トッププレートの上壁面で接着剤を介在して行うとともに、トップフレームの外縁端面を内側に折り曲げし、トッププレートと折り曲げ内面との間に、トッププレートを押圧する弾性を有するトッププレート支え部材が配置するようにしたものであるので、トッププレートの剥離荷重は、接着剤以外にトッププレート支え部材の支え力で行われ、トッププレートの剥がれのない器具を提供することができるものである。
【００２３】
第３の発明は、トッププレートとトップフレームの保持は、トッププレートの上壁面で接着剤を介在して行うとともに、トッププレートユニットと箱型本体の固定は、トップフレームの裏面に取り付けられ箱型本体側壁まで垂下するＬ字型フックの側壁で固定されるとともに、Ｌ字型フックの上面にはトッププレートに当接するトッププレート受けＢが設けられたものであるので、トッププレートの剥離荷重は、接着剤以外にトッププレート受けＢの支え力で行われ、トッププレートの剥がれのない器具を提供することができるものである。
【００２４】
第４の発明は、トッププレートとトップフレームの保持は、トッププレートの上壁面で接着剤を介在して行うとともに、接着材の接着面積をトッププレートの上壁面からトッププレート外縁下壁面まで塗布するようにしたものであるので、トッププレートの接着面積は大幅に広くなるとともに、複数の面で個々に接着する構成となり、容易に剥がれにくいトッププレートの接着構成を得られるものである。
【００２５】
第５の発明は、トッププレートとトップフレームの接着部には、シリコンやフッ素等の撥水性材料が付着していないようにしたものであるので、接着部の接着強度は、強固なものが得られるものである。
【００２６】
第６の発明は、トッププレートとトップフレームの接着部内側には、撥水材料が全周にわたり塗布したものであるので、接着剤部が剥離して、トッププレートとトップフレームの隙間から調理時の水等が浸入してきた場合でも、撥水材料部で水の侵入を切ることができ、本体中心部まで水が浸入することのない安全なものを提供できるようにしたものである。
【００２７】
第７の発明は、トッププレートとトップフレームの接着部内側には、撥水材料が全周にわたり塗布されたものであるとともに、本体内部の発熱体や制御部品等の電気部品との間には防水仕切り壁を設けたものであるので、トッププレートとトップフレームの隙間から調理時の水等が浸入してきた場合でも、撥水材料部で水の侵入を切ることができ、更に水が乗り越えて本体中心部の電気部品まで浸入した場合でも防水仕切り壁で侵入水を確実に押さえ込み電気的に安全なものを提供できるようにしたものである。
【００２８】
以下、本発明の実施の形態について、図面を参照しながら説明する。なお、この実施の形態によって本発明が限定されるものではない。
【００２９】
（実施の形態１）
図１〜図２において、１０は内部に発熱体１１や制御部品１２を内蔵した箱型本体であり、上面は、上面全域を覆うガラス製のトッププート１３と、トッププレート１３の外縁部と接着して一体化され最外縁を下方へ垂下したフランジ１４を有するトップフレーム１５とで構成され、トッププレート１３とトップフレーム１５の接着は、トッププレート１３の上壁面で接着剤１６を介在して行うとともに、箱型本体１０内部にはトッププレート１３の外縁部近傍に当接支持するトッププレート受け１７が複数個設けられている。
【００３０】
以上のように構成された加熱調理器のトッププレート保持について、以下にその作用を説明する。
【００３１】
先ず、本加熱調理器での加熱調理は、非加熱物の鍋等をトッププレート１３上に載置し、内部の発熱体１１からの加熱により行われる。従って、トッププレート１３には非加熱物の鍋等の荷重がかかっており、トップフレーム１５との接着部には剥離荷重が発生している。このとき本発明の加熱調理器は、箱型本体１０内部にトッププレート１３の外縁部近傍に当接支持するトッププレート受け１７が複数個設けられており、トッププレート１３の剥離荷重は、トッププレート受け１７で支えられ、トッププレート１３の剥がれのない器具を提供することができるものである。
【００３２】
（実施の形態２）
図３〜図４は、本発明の第２の実施形態の加熱調理器であり、トップフレーム１５の外縁端面は内側に折り曲げされ、トッププレート１３と折り曲げ内面１８との間にはトッププレート１３をトップフレーム１５内面に押圧する弾性を有するトッププレート支え部材１９が配置されている。なお、トッププレート１３は長方形形状をしており、トッププレート支え部材１９の配置位置を角部に配置し、プレート支え部材１９の保持を２辺にまたがるようにしている。
【００３３】
以上のように構成された加熱調理器のトッププレート保持について、以下にその作用を説明する。
【００３４】
先ず、本加熱調理器での加熱調理も、非加熱物の鍋等をトッププレート１３上に載置し、内部の発熱体１１からの加熱により行われる。従って、トッププレート１３には非加熱物の鍋等の荷重がかかっており、トップフレーム１５との接着部には剥離荷重が発生している。このとき本発明の加熱調理器は、トップフレーム１５の外縁端面は内側に折り曲げされ、トッププレート１３と折り曲げ内面１８との間にはトッププレート１３をトップフレーム１５内面に押圧する弾性を有するトッププレート支え部材１９が複数個設けられており、トッププレート１３の剥離荷重は、トッププレート支え部材１９で支えられ、トッププレート１３の剥がれのない器具を提供することができるものである。更に本発明の加熱調理器のトッププレート支え部材１９の配置位置を角部に配置し、プレート支え部材１９の保持を２辺にまたがるようにしているため、プレート支え部材１９の位置ズレが少なくばかりでなく広い受け面積で支えることができ確実なトッププレート１３の支えができるものである。
【００３５】
（実施の形態３）
図５は、本発明の第３の実施形態の加熱調理器であり、トッププレート１３とトップフレーム１５で構成されるトッププレートユニット２０と箱型本体１０の固定は、トップフレーム１５の裏面に取り付けられ箱型本体１０側壁まで垂下するＬ字型フック２１の側壁で固定されるとともに、Ｌ字型フック２１の上面にはトッププレート１３に当接するトッププレート受けＢ２２が設けられている。
【００３６】
以上のように構成された加熱調理器のトッププレート保持について、以下にその作用を説明する。
【００３７】
先ず、本加熱調理器での加熱調理も、非加熱物の鍋等をトッププレート１３上に載置し、内部の発熱体１１からの加熱により行われる。従って、トッププレート１３には非加熱物の鍋等の荷重がかかっており、トップフレーム１５との接着部には剥離荷重が発生している。このとき本発明の加熱調理器は、トッププレートユニット２０と箱型本体１０の固定は、トップフレーム１５の裏面に取り付けられ箱型本体１０側壁まで垂下するＬ字型フック２１の側壁で固定されるとともに、Ｌ字型フック２１の上面にはトッププレート１３に当接するトッププレート受けＢ２２が設けられているので、トッププレート１３の剥離荷重は、接着剤１６以外にトッププレート受けＢ２２の支え力で行われ、トッププレート１３の剥がれのない器具を提供することができるものである。
【００３８】
（実施の形態４）
図６は、本発明の第４の実施形態の加熱調理器であり、トッププレート１３とトップフレーム１５の接着材１６はトッププレート１３の上壁面２３からトッププレートの外縁下壁面２４まで塗布したものである。
【００３９】
以上のように構成されたトッププレート１３の接着保持について、以下にその作用を説明する。
【００４０】
一般的に接着は、外部からの剥離荷重や溶剤等の進入による化学的劣化等により接着強度が低下し接着剤１６が母材１３、１５から剥離して、調理時の水等が本体内に浸入する。このとき本発明の加熱調理器は、接着材１６の接着面積をトッププレート１３の上壁面２３からトッププレート外縁下壁面２４まで塗布するようにしているので、トッププレート１３の接着面積は大幅に広くなるとともに、複数の面で個々に接着する構成となり、容易に剥がれにくいトッププレートの接着構成を得られるものである。
【００４１】
（実施の形態５）
同じく図６は、本発明の第５の実施形態の加熱調理器であり、トッププート１３の接着部に、シリコンやフッ素等の撥水性材料が付着していないものである。
【００４２】
以上のように構成された加熱調理器のトッププレート保持について、以下にその作用を説明する。
【００４３】
一般的に接着は、外部からの剥離荷重や溶剤等の進入による化学的劣化等により接着強度が低下し接着剤１６が母材１３、１５から剥離して、調理時の水等が本体内に浸入する。このとき本発明の加熱調理器は、トッププレート１３とトップフレーム１５の接着部に、シリコンやフッ素等の撥水性材料異物が付着していないようにしているので、接着材１６と母材１３、１５の接着強度は、強固なものが得られるものであり、トッププレート１３の剥がれのない器具を提供することができるものである。
【００４４】
（実施の形態６）
同じく図６は、本発明の第６の実施形態の加熱調理器であり、トッププート１３下面の外縁内側に撥水材料２５を全周にわたり塗布したものである。
【００４５】
以上のように構成された加熱調理器のトッププレート保持について、以下にその作用を説明する。
【００４６】
一般的に接着は、外部からの剥離荷重や溶剤等の進入による化学的劣化等により接着強度が低下し接着剤１６が母材１３、１５から剥離して、調理時の水等が本体内に浸入する。このとき本発明の加熱調理器は、トッププレート１３とトップフレーム１５の隙間から調理時の水等が浸入してきた場合でも、撥水材料２５部で水の侵入を切ることができ、本体中心部まで水が浸入することのない安全なものを提供できるものである。
【００４７】
（実施の形態７）
同じく図６は、本発明の第７の実施形態の加熱調理器であり、箱型本体１０内部の発熱体１１や制御部品１２等の電気部品が、トッププート１３下面の外縁内側に施された撥水材料２５処理の内側に位置するとともに、その相対位置の間には防水仕切り壁２６で隔てられているものである。
【００４８】
以上のように構成された加熱調理器のトッププレート保持について、以下にその作用を説明する。
【００４９】
一般的に接着は、外部からの剥離荷重や溶剤等の進入による化学的劣化等により接着強度が低下し接着剤１６が母材１３、１５から剥離して、調理時の水等が本体内に浸入する。このとき本発明の加熱調理器は、トッププレート１３とトップフレーム１５の隙間から調理時の水等が浸入してきた場合でも、撥水材料２５で水の侵入を切ることができ、さらに水が撥水材料２５を乗り越えて本体中心部の電気部品まで浸入した場合でも、防水仕切り壁２６で侵入水を確実に押さえ込み、電気部品まで水が到達しない電気的に安全な器具を提供できるものである。
【産業上の利用可能性】
【００５０】
以上のように、本発明にかかる加熱調理器は、トッププレートとトップフレームの固定を接着剤の他に機械的に保持する構成を追加することにより、トッププレートの剥がれのないものを提供するとともに、トッププレートの剥がれて調理時の水等が浸入してきた場合でも、撥水構成を採用することで本体中心部まで水が浸入することのない安全な器具を提供することができるものである。
【図面の簡単な説明】
【００５１】
【図１】本発明の実施の形態１における加熱調理器の全体斜視図
【図２】本発明の実施の形態１における加熱調理器の全体側方断面図
【図３】本発明の実施の形態２におけるトッププレートユニット部の斜視図
【図４】本発明の実施の形態２におけるトッププレートユニット部の側方断面図
【図５】本発明の実施の形態３における加熱調理器の全体側方断面図
【図６】本発明の実施の形態４、形態５、形態６、形態７における加熱調理器の全体側方断面図
【図７】従来のトッププレートユニット部の側方断面図
【符号の説明】
【００５２】
１０  箱型本体
１１  発熱体
１２  制御部品
１３  トッププレート
１４  フランジ
１５  トップフレーム
１６  接着剤
１７  トッププレート受け
１８  折り曲げ内面
１９  トッププレート支え部材
２０  トッププレートユニット
２１  Ｌ字型フック
２２  トッププレート受けＢ
２３  上壁面
２４  下壁面
２５  撥水材料
２６  防水仕切り壁
【図１】
2007003016.tif 000003
【図２】
2007003016.tif 000004
【図３】
2007003016.tif 000005
【図４】
2007003016.tif 000006
【図５】
2007003016.tif 000007
【図６】
2007003016.tif 000008
【図７】
2007003016.tif 000009